(57)【要約】  本発明は室外窓と室内窓で構成された二重窓に関し、垂直窓フレームに水平交差換気手段を上端部及び／又は下端部に設けることにより、垂直窓フレームにより区画された全ての領域に開閉窓を設けなくても、又は全ての開閉窓を開放しなくても、水平交差換気手段を介して各領域の室外窓と室内窓との間に形成された空間部で空気の流動がなされる二重窓を提供する。
2011508835.tif 000002
【特許請求の範囲】
【請求項１】
多数の水平窓フレームと前記水平窓フレームに固定された両外側垂直窓フレーム及び多数の内側垂直窓フレームと、
水平窓フレームと垂直窓フレームによって定義された各領域に所定の空間部が形成されるように離隔配置された室外窓と室内窓と、
を備え、
前記垂直窓フレームには水平交差換気手段が形成され、いずれか１つの領域の室内窓と室外窓との間のいずれか１つの空間部と、これに隣接した領域の室内窓と室外窓との間の空間部とが水平交差換気手段によって相互連通されたことを特徴とする二重窓。
【請求項２】
前記水平交差換気手段は、垂直窓フレームに形成された少なくとも１つの開口によって隣接する２つの空間部を連通させることを特徴とする請求項１に記載の二重窓。
【請求項３】
前記水平交差換気手段は、内側垂直窓フレームの上端部及び下端部に形成されていることを特徴とする請求項１に記載の二重窓。
【請求項４】
前記いずれか１つの内側垂直窓フレームには上端部に水平交差換気手段が形成され、これに隣接する内側垂直窓フレームには下端部に水平交差換気手段が形成されていることを特徴とする請求項１に記載の二重窓。
【発明の詳細な説明】
【技術分野】
【０００１】
本発明は室内窓と室外窓を備える二重窓に関し、特に全ての室外窓を開閉可能な窓で構成しなくても室内窓と室外窓との間の空間部に空気の流れを誘導させることができる構造を有する二重窓に関する。
【背景技術】
【０００２】
一般に、アパート及び住商複合建物には、室内窓と室外窓からなる二重窓又はカーテンウォールが設けられている。特に、二重窓は断熱性と遮音性を確保することができる長所がある。
【０００３】
図１は、一般的な二重窓（又はカーテンウォール）の構造を概略的に示した図面であって、従来の二重窓は、壁体（図示せず）に固定された窓フレーム１０、窓フレーム１０に設けられた窓枠フレーム２０及び３０、そして窓枠フレーム２０及び３０にそれぞれ設けられた室内窓４０及び室外窓５０を備えており、室内窓４０と室外窓５０との間には、所定の空間部６０が形成されている。
【０００４】
図２は、二重窓の正面図であって、室外側から見た室外窓のみを示したものである。二重窓の窓フレーム１０は、上部及び下部水平窓フレーム１１−１、１１−２、そして上部及び下部水平窓フレーム１１−１、１１−２に固定された多数の垂直窓フレーム１２−１、１２−２、１２−３、１２−４及び１２−５を備え、この水平及び垂直窓フレームによって窓フレーム１０は窓枠フレーム（図ｌの２０及び３０）がそれぞれ装着される多数の領域に区画される。
【０００５】
このように、上部及び下部水平窓フレーム及び２つの垂直窓フレームによって形成された各領域には、図１に示した通り室外窓５０と室内窓４０が設けられ、室内窓４０と室外窓５０との間には、所定の空間部６０が形成される。
【０００６】
一方、図２に示した通り、室内の換気のためには、窓フレームの各領域に設けられた室外窓５０の上下部に開閉可能な別途の窓５１を設けたり、室外窓５０自体を開閉可能な窓で設けなければならない。
【０００７】
二重窓では、換気性能及びエネルギー効率を上げるために、室外窓５０と室内窓４０との間の空間部６０で太陽の日射によって自然に発生する煙突効果を用いたり、ブラインドを設ける方式が用いられている。
【０００８】
しかし、室外窓５０と室内窓４０との間の空間部で煙突効果を発生させるためには、窓の垂直窓フレーム１２−１、１２−２、１２−３、１２−４及び１２−５によって分割された全ての領域の室外窓５０の上下部に開閉可能な窓５１を設置しなければならない。
【０００９】
このように、垂直窓フレーム１２−１、１２−２、１２−３、１２−４及び１２−５によって分割された領域に設けられた全ての室外窓５０の上下部に開閉可能な窓５１が必ず設けられなければならないだけでなく、室内窓４０にも開閉可能な窓が設けられなければならなかった。
【００１０】
このような構造を有する従来の二重窓では、全ての室外窓５０に開閉可能な窓５１を上部及び下部に設けなければならないために製造コストが上昇し、二重窓自体の構造が複雑になる問題がある。
【発明の概要】
【発明が解決しようとする課題】
【００１１】
本発明は前記のような問題を解決するためのもので、本発明の目的は、窓フレームを分割する内側垂直窓フレームの上下部に空気が水平に循環可能なように開口部を設け、垂直窓フレームにより分割される室外窓と室内窓との間の空間部の空気が相互水平に交差して循環が可能で、このような構造を適用して開閉可能な窓の数を画期的に減らし、かつ垂直窓フレームにより分割される室外窓と室内窓との間の空間部で発生する煙突効果と水平対流効果を極大化して性能を最適化させた二重窓を提供することである。
【課題を解決するための手段】
【００１２】
前記目的を達成するために、本発明の一形態によれば、多数の水平窓フレームと前記水平窓フレームに固定された多数の垂直窓フレームと、水平窓フレームと垂直窓フレームによって定義された各領域に所定の空間部が形成されるように離隔配置され、それぞれ開閉可能に設けられた室外窓と室内窓とを備え、前記垂直窓フレームには水平交差換気手段が形成され、前記垂直窓フレームを基準に隣接した室内窓と室外窓との間の空間部と、これに隣接した領域の室内窓と室外窓との間の空間部とが相互連通したことを特徴とする二重窓が提供される。
【００１３】
このとき、前記水平交差換気手段は、垂直窓フレームに形成された少なくとも１つの開口により隣接する２つの空間部を連通させることが望ましい。
【００１４】
本発明の一形態に係る二重窓で、垂直窓フレームは両外側垂直窓フレーム及び内側垂直窓フレームに区分され、水平交差換気手段は内側垂直窓フレームに形成されている。また、前記水平交差換気手段は、内側垂直窓フレームの上端部及び下端部にそれぞれ形成される。
【００１５】
本発明の一形態に係る二重窓で、水平交差換気手段は、いずれか１つの領域の室内窓と室外窓との間の空間部と、隣接したいずれか１つの領域の室内窓と室外窓との間の空間部とを連結し、前記いずれか１つの内側垂直窓フレームの上端部に水平交差換気手段が形成される場合には、これに隣接する内側垂直窓フレームには下端部に水平交差換気手段が形成されることが望ましい。
【発明の効果】
【００１６】
以上で説明した通り、本発明に係る二重窓は、窓フレームを分割する内側垂直窓フレームの上下部に空気が水平に循環可能なように開口部を設け、垂直窓フレームにより分割される室外窓と室内窓との間の空間部の空気が相互水平に交差して循環が可能で、このような構造を適用して開閉可能な窓の数を画期的に減らし、かつ垂直窓フレームにより分割される室外窓と室内窓との間の空間部で発生する煙突効果と水平対流効果を極大化して性能を最適化させることができる。
【図面の簡単な説明】
【００１７】
【図１】従来の二重窓（又はカーテンウォール）の構造を概略的に示した図面である。
【図２】従来の二重窓の正面図である。
【図３】本発明の一実施例に係る二重窓の部分斜視図である。
【図４】本発明の一実施例に係る二重窓の部分斜視図である。
【図５】本発明の一実施例に係る二重窓の正面図である。
【図６】本発明の一実施例に係る二重窓の正面図である。
【図７】本発明の一実施例に係る二重窓の正面図である。
【発明を実施するための形態】
【００１８】
以下、添付した図面を参照して本発明の一実施例に係る二重窓をより具体的に説明する。添付した図面は、本発明の例示的な形態を示したもので、これは本発明をより詳細に説明するために提供するだけで、これによって本発明の技術的な範囲が限定されるわけではない。
【００１９】
本発明の一実施例に係る二重窓を構成する窓フレームは、上部及び下部水平窓フレーム、そして上部及び下部水平窓フレームに固定された多数の垂直窓フレームを備え、この水平及び垂直窓フレームによって窓フレームは窓枠フレームがそれぞれ装着される多数の領域に区画される。
【００２０】
このように、上部及び下部水平窓フレーム及び２つの垂直窓フレームによって形成された各領域には室外窓と室内窓が設けられ、室外窓と室内窓との間には所定の空間部が形成される。
【００２１】
図３及び図４は、水平交差換気手段が形成された本発明の一実施例に係る二重窓の部分斜視図であって、便宜上、最外側垂直窓フレーム及びいずれか１つの内側垂直窓フレームのみを示した。また、図３の右側部には室外窓を示さなかった。
【００２２】
ここで、二重窓の最外側垂直窓フレーム１２１を除いた内側垂直窓フレーム１２２に水平交差換気手段１７０が形成される。この水平交差換気手段１７０によって垂直窓フレーム１２２の両側に形成された空間部１６０（室内窓１４０と室外窓１５０との間に形成された空間）は、互いに連通状態となる。
【００２３】
即ち、いずれか１つの空間部に流入した外部の空気は、この水平交差換気手段１７０を介して隣接する空間部に流入することができ、従って、いずれか１つの室外窓にのみ開閉可能な窓を設ける場合又は全ての室外窓に開閉窓を形成した構造でいずれか１つの開閉窓のみを開放した場合にも、外部から流入した空気は水平交差換気手段１７０を介して隣接する空間部に流入することができる。
【００２４】
水平交差換気手段によりそれぞれの空間部１６０の空気が循環できる構造になるので、従来の二重窓でのように室内窓と室外窓との間の空間部１６０ごとに上部及び下部に開閉窓を設ける必要がなく、本発明では多数の空間部１６０のいずれか１つに対応する窓枠フレームにのみ開閉窓を設けても、既存の煙突効果が得られる。
【００２５】
一方、内側垂直窓フレーム１２２の水平交差換気手段１７０は、その形状に制限されはせず、図３及び図４に示したような多数のスリット状開口１７１であってもよく、広い面積の単一の開口であってもよい。
【００２６】
図５〜図７は、内側垂直窓フレームに水平交差換気手段が形成された二重窓での空気の流れを示しており、便宜上、室外窓のみを示した。
【００２７】
図５を参照すると、本発明の一実施例に係る二重窓は、いずれか１つの垂直窓フレーム１２２の上部及び下部に図３を通じて説明した水平交差換気手段１７０が形成され、これに隣接した垂直窓フレーム１２３には水平交差換気手段が形成されないこともある。
【００２８】
このような構造の二重窓では、隣接する２つの領域の２つの空間部（室外窓と室内窓との間の空間）は、水平交差換気手段１７０を介して空気の循環がなされる。
【００２９】
この水平交差換気手段１７０によって各領域の室外窓１５０上部又は下部にのみ開閉窓１５１を形成すれば、この開閉窓１５１を介して流入した外部の空気は、２つの領域の各空間部に循環することができる。
【００３０】
図６は、窓フレーム２００の最外側垂直窓フレーム３２１、３２５を除いた全ての垂直窓フレーム３２２、３２３及び３２４の上部及び下部に水平交差換気手段を設けた構造を示している。
【００３１】
このような構造では、水平交差換気手段によって全ての領域の空間部（室外窓と室内窓との間の空間）が互いに連通されており、従って、いずれか１つの領域の空間部内の空気は、全ての領域の空間部内に循環できる。
【００３２】
この水平交差換気手段１７０によっていずれか１つの領域の室外窓１５０上部又は下部にのみ開閉窓１５１を形成すれば、開閉窓１５１を介していずれか１つの空間部に流入した外部の空気が全ての空間部で循環することができる。
【００３３】
図７は、いずれか１つの垂直窓フレーム４２２又は４２４の下部に水平交差換気手段１７０を形成し、これに隣接した垂直窓フレーム４２３の上部に水平交差換気手段１７０を形成した構造を示している。
【００３４】
このような構造でも、水平交差換気手段によって全ての領域の空間部（室外窓と室内窓との間の空間）が互いに連通されており、従って、いずれか１つの領域の空間部内の空気は、全ての領域の空間部内に循環できる。
【００３５】
図５〜図７で具現した多様な適用例で、室内窓は１つの開閉窓で形成でき、２つの領域に区画して１つの領域は固定窓に、もう１つは開閉窓に形成される。
【００３６】
前記で説明した本発明の望ましい実施例は例示のために開示されたものであって、本発明に関する通常の知識を有する当業者であれば、本発明の思想と範囲内で多様な修正、変更、付加が可能であり、このような修正、変更及び付加は特許請求の範囲に属するものと見なければならない。
【符号の説明】
【００３７】
１０、２００：窓フレーム、１１−１〜２：水平窓フレーム、１２−１〜５、１２１、１２２、１２３、３２１、３２２、３２３、３２４、３２５、４２２、４２３、４２４：垂直窓フレーム、２０、３０：窓枠フレーム、４０：室内窓、５０：室外窓、５１：窓、６０、１６０：空間部、１４０：室内窓、１５０：室外窓、１５１：開閉窓、１７０：水平交差換気手段、１７１：スリット状開口
【図１】
2011508835.tif 000003
【図２】
2011508835.tif 000004
【図３】
2011508835.tif 000005
【図４】
2011508835.tif 000006
【図５】
2011508835.tif 000007
【図６】
2011508835.tif 000008
【図７】
2011508835.tif 000009
【国際調査報告】
2011508835.tif 000010
2011508835.tif 000011